(57)【要約】【課題】冠水時などに水を確実に堰き止めることができるとともに、津波や堤防決壊などに際に多量の水がいっぺんに流れて来ても、素早く防潮板を設置でき、必要時にのみ作動して水を確実に堰き止めることのできる防潮装置を提供すること。【解決手段】防潮装置は、地盤面より下方に形成されるとともに、内部が水で満たされた地中ピットと、前記地中ピット内に沈下するように埋設された防潮板と、前記地中ピット内に沈下された前記防潮板の内部に気体を注入可能に構成された気体注入機と、を有し、前記気体注入機によって前記防潮板内に気体を注入することにより、前記防潮板を地盤面よりも上昇させるように構成されている。【選択図】図２
2010101139.tif 000002
【特許請求の範囲】
【請求項１】
地盤面より下方に形成されるとともに、内部が水で満たされた地中ピットと、
前記地中ピット内に沈下するように埋設された防潮板と、
前記地中ピット内に沈下された前記防潮板の内部に気体を注入可能に構成された気体注入機と、
を有し、
前記気体注入機によって前記防潮板内に気体を注入することにより、前記防潮板を地盤面よりも上昇させるように構成されていることを特徴とする防潮装置。
【請求項２】
前記防潮板は、内部が中空であるとともに底面のみが開放された箱体であることを特徴とする請求項１に記載の防潮装置。
【請求項３】
前記気体注入機は、手動により気体注入がなされるよう構成されていることを特徴とする請求項１または２に記載の防潮装置。
【請求項４】
前記気体注入機は、センサからの信号に基づき自動的に気体注入がなされるよう構成されていることを特徴とする請求項１または２に記載の防潮装置。
【請求項５】
前記センサが、
所定の水位を感知する水位感知装置および／または所定の振動を感知する感震装置であることを特徴とする請求項４に記載の防潮装置。
【請求項６】
前記防潮装置は、
前記防潮板が地盤面より上昇し所定の位置に達すると、前記気体注入機による防潮板内への気体の注入が停止される気体注入停止装置を備えることを特徴とする請求項１から５のいずれかに記載の防潮装置。
【請求項７】
前記防潮装置は、
前記防潮板が地盤面より上昇した際に、所定の位置で前記防潮板を固定する固定装置を備えることを特徴とする請求項１から６のいずれかに記載の防潮装置。
【請求項８】
前記防潮板が、耐腐食性を有する材質から構成されていることを特徴とする請求項１から７のいずれかに記載の防潮装置。
【請求項９】
前記防潮板が、アルミニウム合金から成ることを特徴とする請求項８に記載の防潮装置。
【請求項１０】
前記気体注入機により注入される気体が、不活性ガスであることを特徴とする請求項１から９のいずれかに記載の防潮装置。
【請求項１１】
前記防潮装置は、
前記防潮板を強制的に昇降させる強制昇降装置を備えることを特徴とする請求項１から１０のいずれかに記載の防潮装置。
【請求項１２】
前記防潮装置は、
前記地中ピット内の水が所定量より減少した場合に、自動的に前記所定量とする自動給水装置を備えることを特徴とする請求項１から１１のいずれかに記載の防潮装置。
【請求項１３】
請求項１から１２のいずれかに記載の防潮装置を、複数並設してなることを特徴とする
防潮構造。
【発明の詳細な説明】
【技術分野】
【０００１】
本発明は、建築物や土木工作物などの周囲に配置して、地震による津波や洪水時などに水の浸入や流出を防止するようにするための防潮装置およびこの防潮装置を並設してなる防潮構造に関する。
【背景技術】
【０００２】
従来より、例えば、地震による津波や洪水などで浸水のおそれのある地域では、建築物の地盤を上げたり、川の両岸に堤防を築いて水の浸入や流出を防止することが広く行われている。
【０００３】
また、地盤を上げることのできない建築物の周囲などにあっては、止水すべき箇所に防潮板を設置することにより、この防潮板で、水を堰き止めることが一般に行われている。
従来、このような防潮板は、一般に平板状など任意の形状に形成されていて、冠水しそうな時などに、水を堰き止めることの必要な箇所に予め人手によって設置していた。
【０００４】
しかしながら、人手によって防潮板を設置する場合、洪水を予測して防潮板を設置しても無駄に終わったり、急激な大雨などで人がいない時には設置することができないばかりでなく、防潮板を設置してしまうと人の出入りができなくなってしまうという問題が生じていた。
【０００５】
そこで、出入りや通行の妨げにならないように、通常は防潮板を建物の壁内に収納しておき、必要の際にはこれを地盤面に設けられたレール上を水平移動させることにより、迅速に防潮板を設置可能としたスライド式の防潮装置も開発されている。
【０００６】
しかしながら、このようなスライド式の防潮装置は、レールにゴミや石などが挟まる場合があり、この場合には防潮板が作動不良を生じてしまい、確実に水を堰き止められないことがあった。
【０００７】
このため防潮板は、通常は地盤面の下などに収納され、必要の際には地盤面から上方に突出可能な構造とすることが、建築物の使い勝手の向上を図る上で望ましく、このような構造を有する防潮装置として、特許文献１に開示がなされている。
【０００８】
このような防潮装置１００は、図６に示したように、地盤面１１０下に地中ピット１０２を形成するとともに、この地中ピット１０２の天井壁１０４に上下に貫通する水の流入口１０６とスリット１０８とをそれぞれ形成し、地中ピット１０２の内部に、下端に浮き部材１１４を連結して水の浮力によって浮き部材１１４とともに浮き上がるようにした防潮板１１２を、スリット１０８の内部を挿通して地盤面１１０から上方に突出自在に収納している。
【０００９】
この防潮装置１００は、大雨による洪水などで地面が冠水すると地中ピット１０２の天井壁１０４に設けた水の流入口から地中ピット１０２の内部に水が流入して溜まり、この内部に溜まった水の浮力を受けて、浮き部材１１４と防潮板１１２とが一体となって上昇して防潮板１１２が地盤面１１０の上方に突出し、この防潮板１１２によって、水を堰き止めることができるようになっている。
【特許文献１】特開平７−１９７７５１号公報
【発明の開示】
【発明が解決しようとする課題】
【００１０】
しかしながら特許文献１に開示された従来の防潮装置１００は、浮き部材１１４の浮力によって防潮板１１２を作動させるようになっているため、実際に流入口１０６を介して地中ピット１０２内に水が取り込まれなければ、防潮板１１２を地盤面１１０より上方に立設させることはできない。
【００１１】
つまり、洪水などで地面が冠水してからでないと防潮装置１００が作動しないように構成されている。
しかしながら地震発生による津波または堤防決壊の際に流出する水などは、徐々に地盤面１１０が冠水する程度の水量ではなく、多量の水がいっぺんに流れて来る場合が多く、この場合においては防潮装置１００の作動は、水の堰き止めには間に合わないものとなってしまう。
【００１２】
さらに、通常時において、誤って水の流入口から地中ピット１０２の内部に水が流入してしまった場合には、浮き部材１１４により防潮板１１２が地盤面１１０から突出してしまうこととなり、危険が生ずるおそれのあるものであった。
【００１３】
本発明はこのような現状に鑑み、冠水時などに水を確実に堰き止めることができるとともに、津波や堤防決壊などに際に多量の水がいっぺんに流れて来ても、素早く防潮板を設置でき、必要時にのみ作動して水を確実に堰き止めることのできる防潮装置を提供することを目的とする。
【課題を解決するための手段】
【００１４】
本発明は、前述したような従来技術における課題および目的を達成するために発明されたものであって、
本発明の防潮装置は、
地盤面より下方に形成されるとともに、内部が水で満たされた地中ピットと、
前記地中ピット内に沈下するように埋設された防潮板と、
前記地中ピット内に沈下された前記防潮板の内部に気体を注入可能に構成された気体注入機と、
を有し、
前記気体注入機によって前記防潮板内に気体を注入することにより、前記防潮板を地盤面よりも上昇させるように構成されていることを特徴とする。
【００１５】
このように、防潮板の内部に気体を注入することで、防潮板の昇降を行えば、簡素な構成であるため、必要な時に確実に作動させることができ、また通常時におけるメンテナンス性が良好である。
【００１６】
また、防潮板の内部に気体を注入した場合のみ防潮板が上昇するように構成されているので、従来の浮力体を用いた防潮装置のように、誤って地中ピットの内部に水が流入してしまった際に防潮板が上昇してしまうといった不具合を生ずることがない。
【００１７】
さらに、本発明の防潮装置では、気体を用いているため、従来の水を貯留し浮力体で防潮板を上昇させる場合にくらべ、早期に防潮板を上昇させることができる。
このため、例えば急激に水位が増したとしても、防潮板を作動させて水の堰き止めを行うことができる。
【００１８】
また、本発明の防潮装置は、
前記防潮板は、内部が中空であるとともに底面のみが開放された箱体であることを特徴とする。
【００１９】
このような箱体であれば、防潮板自体の重量を軽くすることができるとともに、注入される気体を効率良く内部に貯留することができるため、防潮板の上昇を素早く行うことができる。
【００２０】
また、本発明の防潮装置は、
前記気体注入機は、手動により気体注入がなされるよう構成されていることを特徴とする。
【００２１】
このように気体注入が手動でなされるようになっていれば、非常時など必要の際において確実に作動させることが可能であるとともに、構造を簡素化することができ、製造コストを抑えることができる。
【００２２】
また、本発明の防潮装置は、
前記気体注入機は、センサからの信号に基づき自動的に気体注入がなされるよう構成されていることを特徴とする。
【００２３】
このように気体注入が自動でなされるようになっていれば、非常時にその場に人がいなくても予め決められたセンサからの信号により作動させることができる。
また、本発明の防潮装置は、
前記センサが、
所定の水位を感知する水位感知装置および／または所定の振動を感知する感震装置であることを特徴とする。
【００２４】
このようにセンサが水位感知装置であれば、所定の水位になった際にセンサを作動させて、防潮装置を作動させることができる。また感震装置であれば、所定の震度の際にセンサが作動するようにすることで、例えば津波が発生する以前に防潮装置を作動することができ、事前に津波に備えることができる。
【００２５】
また、本発明の防潮装置は、
前記防潮装置は、
前記防潮板が地盤面より上昇し所定の位置に達すると、前記気体注入機による防潮板内への気体の注入が停止される気体注入停止装置を備えることを特徴とする。
【００２６】
このように気体注入停止装置が設けられていれば、防潮板を所定の位置で停止させることができる。
また、防潮板が最頂位置に到達しても、なお気体が注入され続けると、防潮板内部の気体は、許容量を超えて吹き出してしまうこととなるが、気体注入停止装置が設けられていれば気体の噴出を防止することができる。
【００２７】
また、本発明の防潮装置は、
前記防潮装置は、
前記防潮板が地盤面より上昇した際に、所定の位置で前記防潮板を固定する固定装置を備えることを特徴とする。
【００２８】
このように固定装置が備えられていれば、防潮板が上昇後に気体注入機が万が一故障したとしても防潮板が下降してしまうことがないため、確実に水の堰き止めを行うことができる。
【００２９】
また、本発明の防潮装置は、
前記防潮板が、耐腐食性を有する材質から構成されていることを特徴とする。
このような材質であれば、地中ピット内の水中に防潮板が沈下されていても、錆びが生じ難いため、必要な際に確実に作動して水の堰き止めを行うことができる。
【００３０】
また、本発明の防潮装置は、
前記防潮板が、アルミニウム合金から成ることを特徴とする。
このようにアルミニウム合金であれば、加工が容易であるとともに比重が軽いため、取扱いが容易である。また、耐腐食性に優れるため、常に地中ピット内の水中に沈下されていても錆びが生じ難いため、必要な際に確実に作動して水の堰き止めを行うことができる。
【００３１】
また、本発明の防潮装置は、
前記気体注入機により注入される気体が、不活性ガスであることを特徴とする。
このように不活性ガスであれば、燃焼したり化学的反応を起こし難いため、防潮装置のように、何時、作動することになるか分からず長期の保管が必要な場合であっても、好適に用いることができる。
【００３２】
また、本発明の防潮装置は、
前記防潮装置は、前記防潮板を強制的に昇降させる強制昇降装置を備えることを特徴とする。
【００３３】
このように強制昇降装置が備えられていれば、万が一、気体注入機が故障していたとしても、確実に防潮板を所定の位置まで上昇させて水の堰き止めを行うことができる。
また、本発明の防潮装置は、
前記防潮装置は、
前記地中ピット内の水が所定量より減少した場合に、自動的に前記所定量とする自動給水装置を備えることを特徴とする。
【００３４】
このように自動給水装置が備えられていれば、常に一定量の水が地中ピット内に貯留された状態であるため、何時、防潮装置が作動しても、確実に気体注入機から送られた気体を防潮板内に注入することができ、確実に防潮板を上昇させることができる。
【００３５】
また、本発明の防潮構造は、
上記いずれかに記載の防潮装置を、複数並設してなることを特徴とする。
このように構成されていれば、所望の距離にわたって水を堰き止めることができる。
【発明の効果】
【００３６】
本発明によれば、冠水時などに水を確実に堰き止めることができるとともに、津波や堤防決壊などに際に多量の水がいっぺんに流れて来ても、素早く防潮板を設置でき、必要時にのみ作動して水を確実に堰き止めることのできる防潮装置を提供することができる。
【発明を実施するための最良の形態】
【００３７】
以下、本発明の実施の形態（実施例）を図面に基づいてより詳細に説明する。
図１は、本発明の防潮装置の実施例において、防潮板が地中ピット内に収容された状態の斜視図、図２は、図１に記載の防潮装置のＡ−Ａ線における断面図、図３は、本発明の防潮装置の実施例において、防潮板が地盤面より上方に突出された状態の斜視図、図４は、図３に記載の防潮装置のＢ−Ｂ線における断面図、図５は、本発明の防潮装置の他の実施例における要部拡大斜視図である。
【００３８】
本発明の防潮装置および防潮構造は、建築物や土木工作物などの周囲に配置して、地震
による津波や洪水時などに水の浸入や流出を防止するようにするためのものである。
図１および図２に示したように、本発明の防潮装置１０は、地盤面１２より下方に形成されるとともに、内部が水１６で満たされた地中ピット１４と、この地中ピット１４内に沈下するように埋設された防潮板１８と、地中ピット１４内に沈下された防潮板１８の内部に気体２６を注入可能に構成された気体注入機２０とを有している。
【００３９】
本実施例においては、防潮装置１０を堤防に設けた場合を例としているため、特に海水２２を堰き止めるために用いるものとしている。
そして、例えば台風などで海水２２の界面が通常の地盤面１２よりも上昇することが予想される場合には、海面が地盤面１２に達する前に、図３および図４に示したようにこの気体注入機２０によって防潮板１８内に気体２６を注入することにより、防潮板１８を地盤面１２よりも上昇させ、これにより海水２２を確実に堰き止めることができるようになっている。
【００４０】
なお、防潮板１８は、内部が中空であるとともに底面のみが開放された箱体２４となっており、通常は地中ピット１４の水１６内に沈下されているが、箱体２４の内部に気体注入機２０の注入管３２から気体２６を注入し、気体２６の浮力が箱体２４の重さを上回った時点で、防潮板１８が上方に突設されるように構成されている。
【００４１】
このため、防潮板１８の材質は、比重が軽いことが好ましく、また通常、水中に沈下された状態であるため、耐腐食性に優れた材質を用いることが好ましい。このような材質としては、例えばアルミニウム合金が挙げられる。
【００４２】
このような防潮装置１０は、防潮板１８が地盤面１２よりも上方に突出されて所定の位置に達すると、気体注入機２０による防潮板１８内への気体２６の注入が停止される気体注入停止装置（図示せず）を備えていることが好ましい。
【００４３】
このように気体注入停止装置が設けられていれば、防潮板１８を所定の位置で停止させることができる。
また、防潮板１８が予め決められた最頂位置に到達しても、なお気体注入機２０により防潮板１８内へ気体２６が注入され続けると、防潮板１８内部の気体２６は、許容量を超えて防潮板１８の外へ吹き出してしまうこととなるが、気体注入停止装置が設けられていれば気体２６の噴出を防止することができる。
【００４４】
なお、気体注入停止装置は、防潮板１８が所定の位置に達した際に、気体注入機２０による防潮板１８内への気体２６の注入を停止するように構成されていれば如何なる構成でも構わないが、例えば防潮板１８の上昇する最頂位置に予めセンサー（図示せず）を設置しておき、防潮板１８が最頂位置に達してセンサーがそのことを検知すると信号を発し、この信号を気体注入機２０が受けて気体注入を停止するよう構成すれば良い。
【００４５】
また、地中ピット１４内の水１６は、防潮板１８の内部に気体２６を注入した際に、防潮板１８内に気体２６を閉じ込めておくのに好適であり、これにより気体２６を確実に防潮板１８内に注入して、防潮板１８を上昇させることができるようになっている。
【００４６】
このため、本防潮装置１０には、地中ピット１４内の水量が常に所定量となるよう、自動的に水を供給する自動給水装置（図示せず）を設けておくことが好ましい。
このように自動給水装置が設けられていれば、常に一定量の水１６が地中ピット１４内に貯留された状態にできるため、何時、防潮装置１０が作動しても、確実に気体注入機２０から送られた気体２６を防潮板１８内に注入することができ、確実に防潮板１８を上昇させることができる。
【００４７】
また、気体注入機２０により注入される気体２６としては、特に限定されるものではないが、不活性ガスであれば、燃焼したり化学的反応を起こし難いため、防潮装置１０のように、何時、作動することになるか分からず、長期の保管が必要な場合に好適である。
【００４８】
なお、本発明の防潮装置１０は、気体注入機２０の作動を手動で行っても、自動で行っても良いものであるが、まず手動の場合には、気体注入機２０に設置された気体貯留タンク３４のバルブを手で開放させることにより、注入管３２より気体２６を放出させることができる。
【００４９】
一方、自動の場合には、例えば水位感知装置（図示せず）や感震装置（図示せず）などのセンサを予め設置しておき、このセンサが作動して信号を発した場合に、気体注入機２０の気体貯留タンク３４のバルブが開放されて、注入管３２より気体２６を放出させるようにすれば良い。
【００５０】
なお、センサについては、上記したセンサ以外にも、例えば携帯電話でバルブ開放の指示を受けるものや、緊急信号によりバルブ開放の指示を受けるものなど、特に限定されないものである。
【００５１】
ところで、地盤面１２よりも上昇した防潮板１８は、万が一、内部の気体２６が抜けてしまうと再び下降してしまい、防潮板１８としての役割を果たすことが出来なくなってしまう。
【００５２】
このため、図５に示したように、防潮板１８が上昇した状態で固定する固定装置２８を設けることが好ましい。固定装置２８については、防潮板１８が下降しないようにすることができれば、如何なる構成でも構わないが、例えば本実施例では防潮板１８の一部にストッパーを差し込んで、強制的に防潮板１８の下降を防止するようにしている。
【００５３】
また、防潮装置１０は、緊急時に確実に作動することが求められるものであるため、気体注入機２０を作動させることが出来なかった場合に備え、強制昇降装置３０を設けることが好ましい。
【００５４】
このような強制昇降装置３０は、手動のウインチにより、強制的に防潮板１８を上昇させるものであり、防潮装置１０のように、万が一作動しなかった場合に人命に関わるような設備については、このような緊急策を講じておくことが好ましい。
【００５５】
また、図１および図３に示した本実施例の防潮装置１０では、防潮板１８が三枚設けられているが、特に枚数が限定されるものではなく、必要な長さや設置のし易さなどを考慮して複数枚にするか、一枚にするかなどを決定することが好ましい。
【００５６】
また、これらの防潮装置１０を複数並設して防潮構造（図示せず）を造ってもよく、このようにすれば、例えば海岸や河川の堤防などの大規模な範囲に渡って、水を堰き止めることができる。
【００５７】
このように本発明の防潮装置１０および防潮構造では、防潮板１８の内部に気体２６を注入することで、防潮板１８を地盤面１２よりも上昇させるようになっているため、構造が極めて簡素であるとともに、緊急時に確実に作動させることができるものである。
【００５８】
以上、本発明の好ましい実施の態様を説明してきたが、本発明はこれに限定されることはなく、本発明の目的を逸脱しない範囲で種々の変更が可能なものである。
【図面の簡単な説明】
【００５９】
【図１】図１は、本発明の防潮装置の実施例において、防潮板が地中ピット内に収容された状態の斜視図である。
【図２】図２は、図１に記載の防潮装置のＡ−Ａ線における断面図である。
【図３】図３は、本発明の防潮装置の実施例において、防潮板が地盤面より上方に突出された状態の斜視図である。
【図４】図４は、図３に記載の防潮装置のＢ−Ｂ線における断面図である。
【図５】図５は、本発明の防潮装置の他の実施例における要部拡大斜視図である。
【図６】図６は、従来の防潮装置の概略断面図である。
【符号の説明】
【００６０】
１０・・・防潮装置
１２・・・地盤面
１４・・・地中ピット
１６・・・水
１８・・・防潮板
２０・・・気体注入機
２２・・・海水
２４・・・箱体
２６・・・気体
２８・・・固定装置
３０・・・強制昇降装置
３２・・・注入管
３４・・・気体貯留タンク
１００・・・防潮装置
１０２・・・地中ピット
１０４・・・天井壁
１０６・・・流入口
１０８・・・スリット
１１０・・・地盤面
１１２・・・防潮板
１１４・・・浮き部材
【図１】
2010101139.tif 000003
【図２】
2010101139.tif 000004
【図３】
2010101139.tif 000005
【図４】
2010101139.tif 000006
【図５】
2010101139.tif 000007
【図６】
2010101139.tif 000008